(57)【要約】端末装置１に接続されデータを蓄積するハードディスク１６と、ＩＰ網３を介して端末装置１と接続されるバックアップサーバ４３と、端末装置１側においてハードディスク１６内のデータ占有率を監視する監視部１５ｅと、データ占有率が所定以上となった場合に、データ属性に応じて、データを抽出する抽出部１５ｂと、抽出されたデータをバックアップサーバに送信するアップロード部１５ａと、バックアップサーバ４３側に設けられ、既に蓄積されている既存データとアップロードされたデータとの差分データを生成する差分生成部４３ｂと、生成された差分データを蓄積するユーザーデータベース４４ｂと、端末装置１側からの要求に応じて、既存データと差分データとからダウンロード用データを生成し端末装置１に送信するダウンロード部４３ｅとを備える。これにより、端末装置に蓄積されたデータをバックアップサーバにバックアップする際に、バックアップサーバ側の負担を軽減することができる。【特許請求の範囲】
【請求項１】
端末装置に接続されデータを蓄積する記憶装置と、
通信回線を相互に接続して構築されるＩＰ網を介して前記端末装置と接続されるバックアップサーバと、
前記端末装置側において前記記憶装置内のデータ占有率を監視する監視部と、
データ占有率が所定以上となった場合に、前記記憶装置内のデータ属性に応じて、データを抽出する抽出部と、
前記抽出部により抽出されたデータをアップロード用データとして前記バックアップサーバに送信するアップロード部と、
前記バックアップサーバ側に設けられ、既に蓄積されている既存データと、前記アップロード部により送信されたアップロード用データとの差分データを生成する差分データ生成部と、
生成された前記差分データを蓄積する差分蓄積部と、
前記端末装置側からの要求に応じて、前記既存データと前記差分データとからダウンロード用データを生成し、生成された該ダウンロード用データを該端末装置に送信するダウンロード部と
を備えることを特徴とするバックアップシステム。
【請求項２】
前記抽出部は、データ属性としてデータファイルの拡張子や最終更新日時を判別し、ユーザーにより設定されたデータ属性に従って、データの抽出を行うことを特徴とする請求項１に記載のバックアップシステム。
【請求項３】
前記アップロード用データは、電波放送を介して受信された放送コンテンツを前記端末装置側で記録したものであり、
前記差分データ生成部は、前記放送コンテンツが受信される際に生じたノイズを前記差分データとして生成する
ことを特徴とする請求項１に記載のバックアップシステム。
【請求項４】
前記放送コンテンツは、前記ＩＰ網上に配置されたコンテンツサーバにより電波放送を介して受信された受信コンテンツを、該ＩＰ網を介して接続された電波送信部により再放送されたものであり、
前記バックアップサーバ内の前記既存データは、前記受信コンテンツであることを特徴とする請求項３に記載のバックアップシステム。
【請求項５】
前記電波送信部は、鉄道沿線や道路沿線に配置されることを特徴とする請求項４に記載のバックアップシステム。
【請求項６】
端末装置に接続された記憶装置に蓄積されたデータを、通信回線を相互に接続して構築されるＩＰ網を介してバックアップサーバにバックアップする方法であって、
前記端末装置側において前記記憶装置内のデータ占有率を監視するステップと、
データ占有率が所定以上となった場合に、前記記憶装置内のデータ属性に応じて、データを抽出し、この抽出されたデータをアップロード用データとして前記バックアップサーバに送信するステップと、
前記バックアップサーバ側において、既に蓄積されている既存データと、前記アップロード部により送信されたアップロード用データとの差分データを生成し、生成された前記差分データを蓄積するステップと、
前記端末装置側からの要求に応じて、前記既存データと前記差分データとからダウンロード用データを生成し、生成された該ダウンロード用データを該端末装置に送信するステップと
を備えることを特徴とするバックアップ方法。
【請求項７】
前記アップロード用データは、電波放送を介して受信された放送コンテンツを前記端末装置側で記録したものであり、
前記差分データは、前記放送コンテンツが受信される際に生じたノイズである
ことを特徴とする請求項６に記載のバックアップ方法。
【請求項８】
前記放送コンテンツは、前記ＩＰ網上に配置されたコンテンツサーバにより電波放送を介して受信された受信コンテンツを、該ＩＰ網を介して再放送されたものであり、
前記バックアップサーバ内の前記既存データは、前記受信コンテンツであることを特徴とする請求項７に記載のバックアップ方法。
【発明の詳細な説明】
【技術分野】
【０００１】  本発明は、パーソナルコンピュータやＰＤＡ（Ｐｅｒｓｏｎａｌ  Ｄｉｇｉｔａｌ  Ａｓｓｉｓｔａｎｃｅ）、携帯電話機等のモバイル端末等に蓄積されたデータを、インターネット等のＩＰ網上のバックアップサーバに送信し、保存するためのバックアップシステム及びバックアップ方法に関する。
【背景技術】
【０００２】  近年では、パーソナルコンピュータやＰＤＡ、携帯電話機などのモバイル端末において、画像や動画、音楽等のコンテンツを視聴することが可能となり、これらのコンテンツを格納するための記憶装置も大容量化が望まれている。【０００３】  ところが、かかる記憶装置の大容量化の一方で、蓄積されるデータのサイズも大きくなる傾向にあり、これに蓄積しておくデータ量にも限界がある。これに対して、インターネット等の通信網上に配置されたバックアップサーバに、端末内のデータをアップロードして、格納するといういわゆるバックアップサービスが提案されている（例えば、特開２００２−１３２５６０号公報参照）。【０００４】  この公報に開示された技術では、端末装置とバックアップ装置とが回線を介して接続される構成において、端末装置では、記憶部に自己（当該端末装置）が実行するプログラムを格納し、通信部によって当該記憶部に格納されたプログラムを、回線を介してバックアップ装置に対して送信する。また、バックアップ装置では、通信部によって、端末装置から回線を介して送信されるプログラムを受信し、記憶部が当該通信部により受信したプログラムを格納する。【０００５】  しかしながら、上述した公報に開示された技術では、端末装置からアップロードされたデータ全てを一律に保存するものであるため、サーバ側の負担が大きくなり、サービスを提供する際のコストが割高となるという問題があった。【０００６】  そこで、本発明は以上の点に鑑みてなされたもので、端末装置に蓄積されたデータをバックアップサーバにバックアップする際に、バックアップサーバ側の負担を軽減することのできるバックアップシステム及びバックアップ方法を提供することをその課題とする。
【発明の開示】
【０００７】  上記課題を解決するために、本発明は、端末装置に接続されデータを蓄積する記憶装置と、通信回線を相互に接続して構築されるＩＰ網を介して端末装置と接続されるバックアップサーバと、端末装置側において記憶装置内のデータ占有率を監視する監視部と、データ占有率が所定以上となった場合に、記憶装置内のデータ属性に応じて、データを抽出する抽出部と、抽出部により抽出されたデータをアップロード用データとしてバックアップサーバに送信するアップロード部と、バックアップサーバ側に設けられ、既に蓄積されている既存データと、アップロード部により送信されたアップロード用データとの差分データを生成する差分データ生成部と、生成された差分データを蓄積する差分蓄積部と、端末装置側からの要求に応じて、既存データと差分データとからダウンロード用データを生成し、生成されたダウンロード用データを端末装置に送信するダウンロード部とを備える。
【０００８】  このような本発明によれば、端末装置側の記憶装置内に蓄積されたデータを、その属性に応じて抽出してアップロードするため、不必要なアップロードを回避し、サーバにバックアップされるデータ量を低減することができる。また、バックアップサーバ側では、既に蓄積されているデータとの差分のみを格納するため、重複したデータが保存されるのを回避し、バックアップサーバの記憶容量を有効に利用することができる。
【０００９】  上記発明において、抽出部は、データ属性としてデータファイルの拡張子や最終更新日時を判別し、ユーザーにより設定されたデータ属性に従って、データの抽出を行うことが好ましい。この場合には、端末装置のユーザーのニーズに応じて、バックアップするデータを選択することができ、ユーザー個々の判断による優先度によりデータのバックアップを行うことができる。
【００１０】  上記発明において、アップロード用データは、電波放送を介して受信された放送コンテンツを端末装置側で記録したものであり、差分データ生成部は、放送コンテンツが受信される際に生じたノイズを差分データとして生成することが好ましい。この場合には、例えば、映画やテレビ番組などオリジナルのコンテンツが存在するような放送コンテンツデータについては、複数のユーザーから実質的に同一のデータがアップロードされる可能性があることから、オリジナルコンテンツを既存データとして保持し、その差分として放送受信時に生じたノイズのみを個々の差分データとして保存する。これにより、サーバ側の負担を低減しつつ、ユーザーのコンテンツを正確に再現することができる。
【００１１】  上記発明において、放送コンテンツは、ＩＰ網上に配置されたコンテンツサーバにより電波放送を介して受信された受信コンテンツを、ＩＰ網を介して接続された電波送信部により再放送されたものであり、バックアップサーバ内の既存データは、受信コンテンツであることが好ましい。また、このとき、電波送信部は、鉄道沿線や道路沿線に配置されることが好ましい。この場合には、移動端末や車載テレビ受像機等で放送コンテンツを受信し記録する場合に、ＩＰ網を通じて再放送された放送コンテンツを受信することによって、より高画質なコンテンツを受信することができる。また、バックアップサーバ側では、一旦受信した放送コンテンツをオリジナルコンテンツ（既存データ）とすることができ、既存データの入手を確実なものとし、差分データの生成がより容易となる。
【図面の簡単な説明】
【００１２】
【図１】図１は、第１実施形態に係るバックアップシステムを示す説明図であり、（ａ）は、端末装置及びバックアップサーバの関係を示すブロック図であり、（ｂ）は、バックサーバの構成を示すブロック図であり、（ｃ）は、ＨＤＤ管理部の構成を示すブロック図である。
【図２】図２は、第１実施形態に係るバックアップサービスの動作処理を示すフローチャート図であり、（ａ）は端末側、（ｂ）はサーバ側の動作を示す。
【図３】図３は、第２実施形態に係る情報配信システムの全体構成を示す説明図である。
【図４】図４は、第２実施形態に係る合成出力部の機能を示す説明図である。
【図５】図５は、第２実施形態に係る終端装置の機能を示す説明図であり、（ａ）は、終端装置及び周辺装置の関係を示すブロック図であり、（ｂ）は、それらの動作を示すフローチャート図である。
【図６】図６は、第２実施形態の変更例に係る情報配信システムの全体構成を示す説明図である。
【発明を実施するための最良の形態】
【００１３】［第１実施形態］
（バックアップシステム）
本発明の第１実施形態について、図面を参照しながら説明する。図１は、本実施形態に係るバックアップシステムの全体構成を示す説明図である。【００１４】  同図に示すように、本実施形態に係るバックアップシステムは、ハードディスク１６に蓄積を備えＩＰ網３に接続可能な端末装置１と、ＩＰ網３上に配置されたバックアップサーバ４３とから概略構成される。【００１５】  ＩＰ網３は、通信プロトコルＴＣＰ／ＩＰを用いて種々の通信回線（電話回線やＩＳＤＮ回線、ＡＤＳＬ回線などの公衆回線、専用回線、無線通信網）を相互に接続して構築される分散型の通信ネットワークであり、このＩＰ網３には、１０ＢＡＳＥ−Ｔや１００ＢＡＳＥ−ＴＸ等によるイントラネット（企業内ネットワーク）や家庭内ネットワークなどのＬＡＮなども含まれる。【００１６】  端末装置１は、ＣＰＵを備えた演算処理装置であり、パーソナルコンピュータ等の汎用コンピュータや、機能を特化させた専用装置により実現することができ、モバイルコンピュータやＰＤＡ（Ｐｅｒｓｏｎａｌ  Ｄｉｇｉｔａｌ  Ａｓｓｉｓｔａｎｃｅ）が含まれる。また、端末装置１は、図１（ａ）に示すように、ＩＰ網３上に分散配置されたＷｅｂサーバ等からネットコンテンツを受信するとともに、ハードディスク１６に蓄積されたデータをバックアップサーバ４３に送信するネットコンテンツ取得部１２を備えている。さらに、端末装置１は、ハードディスク１６へのデータの入出力を行うＨＤＤ管理部１５を備えており、ＩＰ網３を通じてバックアップサーバ４３に接続されている。【００１７】  前記バックアップサーバ４３は、図１（ｂ）に示すように、既に蓄積されている既存データであるオリジナルデータを蓄積するオリジナルデータベース４４ａと、ユーザー毎に設けられた記憶領域にユーザーデータ（差分データ）を蓄積するユーザーデータベース４４ｂとを備えている。【００１８】  また、バックアップサーバ４３は、ユーザーからアップロードされてくるデータを受信する受信部４３ａと、受信されたデータとオリジナルデータとの差分データを生成する差分生成部４３ｂと、各データベースへのデータの入出力を行う入出力Ｉ／Ｆ４３ｃを備えている。さらに、バックアップサーバ４３は、端末装置１側からの要求に応じて、オリジナルデータと差分データとからダウンロード用データを生成する差分合成部４３ｄと、合成されたダウンロード用データを端末装置１に送信するダウンロード部４３ｅとを備えている。【００１９】  一方、端末装置１内に備えられたＨＤＤ管理部１５は、図１（ｃ）に示すように、ハードディスク１６内のデータ占有率を監視する監視部１５ｅと、データ占有率が所定以上となった場合に、ハードディスク１６内のデータ属性に応じて、データを抽出する抽出部１５ｂと、抽出部１５ｂにより抽出されたデータをアップロード用データとしてバックアップサーバ４３に送信するアップロード部１５ａとを備えている。【００２０】  なお、本実施形態において抽出部１５ｂは、ユーザーにより設定されたデータの属性（拡張子や最終更新日時）と重要度を関連付ける設定テーブル１５ｄを保持しており、データ属性としてデータファイルの拡張子や最終更新日時を判別するとともに、設定テーブル１５ｄを参照することによって、ユーザーにより設定されたデータ属性に従って、データの抽出を行う。例えば、データの最終更新時から一定時間経過しているものや、映像や画像、音声ファイルなどデータサイズの大きいもの、表計算ソフトやワープロソフトなど重要な書類データなどを優先的にバックアップする。【００２１】  以上の構成を有するバックアップシステムの動作について説明する。図２（ａ）は、端末装置１側の動作処理をしめるフローチャートであり、図２（ｂ）は、バックアップサーバ４３側の動作処理をしめるフローチャートである。【００２２】  先ず、端末装置１側では、ハードディスク１６にデータが書き込まれる毎に、監視部１５ｅによりディスク内のデータ占有率を監視し（Ｓ３０１）、占有率が所定値を超えていないかを判断する（Ｓ３０２）。ステップＳ３０２において、占有率が所定値を超えていないと判断された場合には（ステップＳ３０２における”Ｎ”）、ステップＳ３０１に戻り、ループ処理により繰り返し監視を続行する。一方、ステップＳ３０２において、占有率が所定値を超えていると判断された場合には（ステップＳ３０２における”Ｙ”）、ステップＳ３０３に移行する。【００２３】  ステップＳ３０３では、ファイルの優先順位について設定テーブル１５ｄを参照し、アップロードすべきファイルを選択し（Ｓ３０４）、選択されたファイルを、アップロード部１５ａを通じてバックアップサーバ４３にアップロードするとともに、ハードディスク１６内のファイルを削除する（Ｓ３０５）。【００２４】  バックアップサーバ４３側では、端末装置１からのアップロードを受信部４３ａで受信し、ユーザーデータベース４４ｂの占有率が所定値を超えていないかを判断し（Ｓ４０２）、ステップＳ４０２において、占有率が所定値を超えていないと判断された場合には（ステップＳ４０２における”Ｎ”）、ユーザーが差分のみの蓄積を設定しているかを参照し（ステップＳ４０３）、差分のみの蓄積を設定しないときには（ステップＳ４０３における”Ｎ”）、アップロードされたデータをそのまま保存する（Ｓ４０５）。【００２５】  一方、差分のみの蓄積を設定しているときには（ステップＳ４０３における”Ｙ”）、アップロードされたデータと、オリジナルデータベース４４ａに保存されたデータとの差分を生成し（Ｓ４０４）、差分データを保存する（Ｓ４０５）。この差分データの生成の際には、アップロードされたデータが映像や音声等のときには、ノイズ部分を差分として抽出し、ノイズ部分のみを保存するようにしてもよい。【００２６】  ステップＳ４０２において、所定占有率を超えていると判断した場合（ステップＳ４０２における”Ｙ”）には、その旨をユーザーに通知し、ユーザー領域を拡張するか否かの指示を促す（Ｓ４０６）。ユーザーが領域拡張を希望するとき（ステップＳ４０７における”Ｙ”）には、領域を拡張し（Ｓ４１０）、前記ステップＳ４０２以降の処理を実行する。この領域を拡張する際には、拡張分の課金処理を行う。【００２７】  ステップＳ４０７においてユーザーが領域の拡張を希望しないとき（ステップＳ４０７における”Ｎ”）には、ユーザーデータベース４４ｂ内のデータを削除するか���かの選択を促し、削除ファイルの抽出を行うか否かの判断を行い（Ｓ４０８）、データの削除を希望しないときには、バックアップを中止する（Ｓ４０９）。ステップＳ４０８で、ユーザーがデータの削除を行うことを希望している場合には、上記設定テーブル１５ｄを参照し、重要度が低いデータを優先的に削除し（Ｓ４１１）、前記ステップＳ４０２以降の処理を実行する。【００２８】  このような本実施形態に係るバックアップシステムによれば、端末装置１側のハードディスク１６内に蓄積されたデータを、その属性に応じて抽出してアップロードするため、不必要なアップロードを回避し、サーバにバックアップされるデータ量を低減することができる。また、バックアップサーバ４３側では、既に蓄積されているデータとの差分のみを格納するため、重複したデータが保存されるのを回避し、バックアップサーバの記憶容量を有効に利用することができる。【００２９】  また、本実施形態では、ユーザーが設定した設定テーブル１５ｄを参照して、ユーザーが設定した重要度に応じて、バックアップするデータを選択するため、ユーザー個々の判断による優先度によりデータのバックアップを行うことができる。【００３０】［第２実施形態］
（情報配信システムの全体構成）
本発明の第２実施形態について、図面を参照しながら説明する。本実施形態では、テレビ合成Ｗｅｂページサービスを提供する情報配信システムに本発明のバックアップシステムを適用した場合を例に説明する。図３は、本実施形態に係る情報配信システムの全体構成を示す説明図である。【００３１】  同図に示すように、本実施形態に係る情報配信システムは、モニター７を備えた端末装置１と、ＩＰ網３に接続するための終端装置２と、電波による放送を行う放送局５と、ＩＰ網３上に配置されたコンテンツサーバ４とから概略構成される。【００３２】  終端装置２は、端末装置１をＩＰ網３に接続するための装置であり、電話回線に接続する際にデジタルデータと音声信号との相互変換を行うモデム等の変復調装置や、ＡＤＳＬ回線に接続する際にＡＤＳＬ信号とＬＡＮ回線との相互変換を行うＡＤＳＬモデム等の信号変換機、ＩＳＤＮ回線に接続するために必要となるＤＳＵやターミナルアダプター等の装置が含まれる。【００３３】  コンテンツサーバ４は、ＷＷＷ（Ｗｏｒｌｄ  Ｗｉｄｅ  Ｗｅｂ）等のドキュメントにおいて、ＨＴＭＬ（Ｈｙｐｅｒ  Ｔｅｘｔ  Ｍａｒｋｕｐ  Ｌａｎｇｕａｇｅ）ファイルや画像ファイル、音楽ファイルなどのネットコンテンツの送信を行うサーバコンピュータ或いはその機能を持ったソフトウェアであり、ＨＴＭＬ文書や画像などの情報を蓄積しておき、これらの情報を、ブラウザなどのクライアントソフトウェアの要求に応じ、インターネットなどのＩＰ網を通じ送信する。【００３４】（端末装置１）
端末装置１は、本実施形態では、上記第１実施形態で説明した構成の他、テレビ合成Ｗｅｂページサービスを受けるための構成を備えている。具体的に、端末装置１は、電波を介して放送される放送コンテンツを受信する放送コンテンツ受信部６と、ＩＰ網３を通じて配信されるネットコンテンツを取得するネットコンテンツ取得部１２と、ネットコンテンツ上に放送コンテンツを合成して出力する合成出力部１４とを備え、出力Ｉ／Ｆ１３を介してモニター７が接続されている。モニター７は、液晶ディスプレイやＣＲＴディスプレイ、プラズマディスプレイ等の表示装置であり、出力インターフェース１３を介して端末装置１に接続され、映像や音声の出力を行う。【００３５】  放送コンテンツ受信部６は、図４に詳細に示すように、放送信号を受信する放送受信部６１と、受信電波信号を変調し、所定のデジタル信号に変換して出力する変換部６２とを備えるとともに、本実施形態では、ＵＳＢ等のデータ伝送規格に対応したインターフェース６４を備え、端末装置１のＵＳＢインターフェース（ＵＳＢ端子）１１に着脱可能なアダプター装置となっている。放送受信部６１は、いわゆるチューナー機能を提供する回路であり、周波数を変更することにより、地上波放送や衛星放送、ケーブルテレビ、ラジオ放送等の各チャンネルの放送を受信することができる。なお、本実施形態において、放送コンテンツ受信部６は、自機に内蔵（或いは付属）するアンテナにより電波を受信するが、例えば、テレビアンテナ用の接続端子を設けて、他のアンテナ装置と接続して、放送信号を取得する構成としてもよい。【００３６】  また、放送コンテンツ受信部６は、ＩＰ網３にアクセスするための当該放送コンテンツ受信部６に固有の識別子（ユーザーＩＤ）を記憶するメモリ６３を有し、ネットコンテンツ取得部１２がＩＰ網３上の各種サーバにアクセスする際の要求に応じてユーザーＩＤを送出し、認証を行う機能を備えている。【００３７】  ネットコンテンツ取得部１２は、ＴＣＰ／ＩＰ等の通信プロトコルにより、終端装置２を通じて、上述したＨＴＭＬなどのネットコンテンツを受信するモジュールであり、本実施形態では、ＩＥＥＥ８０２．１１ｂ等の無線ＬＡＮ規格に従ったＬＡＮカードにより実現され、終端装置２と無線通信を行う。【００３８】  合成出力部１４は、本実施形態では、端末装置１で実行されるブラウザソフト１４ａを起動・実行する機能を備えており、図４に示すように、このブラウザソフト１４ａにより、ＩＰ網３上のコンテンツサーバ４１が配信するＨＴＭＬ（Ｈｙｐｅｒ  Ｔｅｘｔ  Ｍａｒｋｕｐ  Ｌａｎｇｕａｇｅ）ファイルや画像ファイル、音楽ファイルなどをダウンロードし、レイアウトを解析して表示・再生し、Ｗｅｂページの閲覧を行うとともに、このＷｅｂページ内に放送コンテンツを合成して出力する。具体的には、コンテンツサーバ４１が配信するネットコンテンツＤ２（ＨＴＭＬファイル）内のタグを解析し、放送コンテンツＤ１が挿入される部分を生成し、この部分に映像等の放送コンテンツＤ１を合成する。【００３９】  また、合成出力部１４は、ＩＰ網３から取得される切替制御信号Ｄ４に基づいて、合成出力部１４において合成される放送コンテンツＤ１又は��の一部（ここではＣＭ部分Ｄ１１及びＤ１３）と、ネットコンテンツとして供給される差替ＣＭＤ３１及びＤ３２とを差し替えて出力するＣＭ差替部１４ｂを有する。【００４０】  詳述すると、合成出力部１４は、放送コンテンツ受信部６で受信された放送コンテンツＤ１の内容を解析する内容解析部１４ｄと、内容解析部１４ｄの解析結果に基づいてＣＭ部分を検出するＣＭ検出部１４ｃと、ハードディスク１６に蓄積された差替え用ＣＭデータＤ３１〜Ｄ３３を随時読み出す差替ＣＭ読出部１４ｅとを備え、切替制御信号Ｄ４により指示された部分のデータ（ＣＭ部分Ｄ１１及びＤ１３）を、差替え用ＣＭデータＤ３１〜Ｄ３３に差し替えて、ブラウザソフト１４ａに出力する。【００４１】  なお、本実施形態において切替制御信号Ｄ４は、ＩＰ網３から随時配信される信号の他、例えば、切り替える時間と関連付けられたリスト形式のファイルにより、周期的にＩＰ網３から取得されるデータである。【００４２】  このような構成の端末装置１によって、例えば、サーバ４１で提供されるテレビ放送合成Ｗｅｂサービスを受ける場合には、先ず、図４に示すように、放送コンテンツ受信部６によって放送局５から放送される放送コンテンツＤ１を受信するとともに、ネットコンテンツ取得部１２によりサーバ４１からのネットコンテンツＤ２を取得する。放送コンテンツＤ１は、放送コンテンツ受信部６内において、放送受信部６１により受信され、変換部６２により所定のデジタル信号に変換された後、ＵＳＢＩ／Ｆ６４，１１を通じて、合成出力部１４及びＨＤＤ管理部１５に出力される。一方、ネットコンテンツＤ２は、ネットコンテンツ取得部１２により受信され、ハードディスク１６に蓄積されるとともに、合成出力部１４のブラウザソフト１４ａに送出される。なお、このとき切替制御信号Ｄ４及び差替え用ＣＭデータＤ３１〜Ｄ３３もサーバ４１から受信され、ハードディスク１６に蓄積される。【００４３】  そして、合成出力部１４では、放送コンテンツＤ１とネットコンテンツＤ２とが、ブラウザソフト１４ａにて合成されて出力される。このとき、合成出力部１４では、内容解析部１４ｄ及びＣＭ検出部１４ｃにより、ＣＭ部分の検出が行われ、切替制御信号Ｄ４による指示に従って、差替ＣＭ読出部１４ｅ及びＣＭ差替部１４ｂにおいて、ＣＭ部分が差替えられて、ブラウザソフト１４ａに送出される。ブラウザソフト１４ａでは、放送局５において放送されているＣＭと異なるＣＭが、差替えられて出力される。【００４４】  なお、本実施形態では、差替えられるデータをＣＭ部分とした場合を例に説明したが、本発明はこれに限定されるものではなく、必要に応じて放送コンテンツの番組部分を他の番組（例えば緊急ニュース等）と差し替えてもよい。この場合には、ユーザーがブラウザソフト上で視聴しているチャンネルに関わらず、同一内容のコンテンツを表示させることができるため、緊急性の高い情報を優先的（或いは強制的）に表示させることができる。【００４５】（終端装置２）
終端装置２は、図５（ａ）にも示すように、端末装置１をＩＰ網３に接続するための装置であり、電話回線に接続する際にデジタルデータと音声信号との相互変換を行う変復調機能を備えたアクセス部２３と、メモリ等の記憶部２４と、ＣＰＵ等により実現されるアドレス差替部２２と、無線ＬＡＮ等の通信インターフェース２１とを備える。【００４６】  記憶部２４は、特定の情報データのアドレスを記憶する記憶部であり、本実施形態では、テレビ放送合成Ｗｅｂを配信するサービスに対応したサービス対応サーバ４１のＵＲＬを特定情報データのアドレスとして記憶している。【００４７】  アドレス差替部２２は、ＩＰ網３側から受信されるトリガー信号に基づいて、ブラウザソフト１４ａにおいて入力された情報データのアドレス（例えば、サービス未対応サーバ４２のＵＲＬ）と、記憶部２４に記憶されたサービス対応サーバ４１のＵＲＬとを差替えるモジュールである。トリガー信号はアクセス部２３を介して取得され、このトリガー信号により、差替を行うか否かのフラグをＯＮ又はＯＦＦする。【００４８】  アクセス部２３は、アドレス差替部２２と、ブラウザソフト１４ａにより指定されたアドレス又はアドレス差替部２２により差替えられたアドレスにアクセスするモジュールであり、ＴＣＰ／ＩＰ等の所定のプロトコルによりＩＰパケットの送受を行う。また、このアクセス部２３は、サービス対応サーバ４１から配信されるトリガー信号を受信し、受信したトリガー信号をアドレス差替部２２に出力する。【００４９】  なお、本実施形態において、記憶部２４は、アドレス差替部２２によるアドレスの差替えの際に、差替えられた元の情報データアドレスを記憶し、アドレス差替部２２は、ＩＰ網３側から受信されるトリガー信号に基づいて、特定情報データのアドレスへの差替えを停止し、アクセス部２３は、アドレス差替部２２によるアドレスの差替えが停止された際には、記憶部２４に記憶された元の情報データアドレスにアクセスする。【００５０】  このような構成のシステムによって、情報データにアクセスするには以下の動作による。図５（ｂ）は、アクセス方法の手順を示すフローチャート図である。【００５１】  先ず、ブラウザソフトにおいてユーザーが所望するＵＲＬ（例えば、サービス未対応サーバ４２）を入力し、そのＵＲＬにアクセスすべく、サービス未対応サーバ４２へアクセスするように端末装置１に指示が送出される（Ｓ２０１）。このとき、アドレス差替部２２は、ＩＰ網３側からトリガー信号が受信されているか否かを判定し（Ｓ２０２）、受信されている場合には差替機能をＯＮとし、ＵＲＬの差替えを行い（Ｓ２０３）、差替後のＵＲＬ（サーバ４１のアドレス）にアクセスする（Ｓ２０４）。【００５２】  このとき、本実施形態では、サーバ４１においてテレビ合成Ｗｅｂサービスを受けるための識別子（ＩＤやパスワード）を、放送コンテンツ受信部６内のメモリ６３から取得し、サーバ４１に送信する。サーバ４１では、送信されてきた識別子に基づいて、ユーザー認証を行い、端末装置１が当該サービスに対応したユーザーであることを識別し、サービスの提供を開始する。【００５３】  一方、ステップＳ２０２において、差替機能がＯＦＦに��っていると判断した場合には、ユーザーが入力したＵＲＬ（サービス未対応サーバ４２）にそのままアクセスする（Ｓ２０５）。【００５４】  このような本実施形態によれば、ブラウザソフト１４ａが指定したアドレスと、特定情報データのアドレスとを差替えるいわゆるリダイレクトを実行について、ＩＰ網３側からトリガー信号を送信することによって制御するため、リダイレクトの実行、不実行をサービス提供側で調節することができる。また、本実施形態では、リダイレクトが終了若しくは停止した後に、ユーザーが本来意図していたアドレスにアクセスさせることができ、リダイレクトを実行する前の状態に復帰させることができる。【００５５】（バックアップシステム）
そして、本実施形態に係る情報配信システムにおいて、バックアップシステムは、テレビ合成Ｗｅｂページサービスを受けるにあたり、受信し、ハードディスク１６に蓄積された放送コンテンツやネットコンテンツをバックアップサーバ４３にアップロードし、保存する。【００５６】  すなわち、端末装置１側では、放送コンテンツやネットコンテンツを視聴しつつ、これらのデータをハードディスク１６に蓄積する。この間、監視部１５ｅによりディスク内のデータ占有率を監視し、占有率が所定値を超えていると判断した場合に、ファイルの優先順位について設定テーブル１５ｄを参照し、アップロードすべきファイルを選択する。そして、選択されたファイルを、アップロード部１５ａを通じてバックアップサーバ４３にアップロードするとともに、ハードディスク１６内のファイルを削除する。【００５７】  バックアップサーバ４３側では、端末装置１からのアップロードを受信部４３ａで受信し、上記第１実施形態と同様に、ユーザーデータベース４４ｂの占有率が所定値を超えていないか、ユーザーが差分のみの蓄積を設定しているか、領域が不足している場合に領域拡張を希望するか等を判断し、所定の方式（アップロードデータをそのまま保存するか、差分を保存するか等）によりデータを保存する。【００５８】  このような本実施形態に係るバックアップシステムによれば、端末装置１側のハードディスク１６内に蓄積された放送コンテンツやネットコンテンツを、その重要度に応じて抽出してアップロードするため、不必要なアップロードを回避し、サーバにバックアップされるデータ量を低減することができる。また、バックアップサーバ４３側では、既に蓄積されているデータとの差分のみを格納するため、重複したデータが保存されるのを回避し、バックアップサーバの記憶容量を有効に利用することができる。【００５９】（変更例）
以上説明した第２実施形態に係るバックアップシステム及びバックアップ方法は、以下のような変更を加えることができる。図６は、変更例を示す説明図である。【００６０】  例えば、上述したテレビ融合Ｗｅｂページを視聴するための端末装置１を、図６に示すような、自動車１０に搭載する。このとき端末装置１の放送コンテンツ受信部６により放送局５からの放送コンテンツを受信するとともに、ＩＰ網３に接続されたサービス対応サーバ４１からネットコンテンツを受信し、ブラウザソフト１４ａにおいてこれらのコンテンツを合成して出力する。【００６１】  ところで、自動車１０は高速で移動するため、放送局５からの放送電波を良好に受信できない場合もある。このため、本変更例では、例えば、道路沿線に配置された電信柱や信号機、ガードレール等に再放送用の小型電波塔５１を多数配置する。【００６２】  この小型電波塔５１は、無線或いは有線によりＩＰ網３に接続され、ＩＰパケットで受信されたデータを放送電波として送出する装置であり、ＩＰ網３上の再放送用サーバ４５に接続されている。【００６３】  この再放送用サーバ４５は、放送局５から放送される電波を受信する放送受信部４５ａと、放送コンテンツを上述したオリジナルデータベース４４ａに既存データ（オリジナルデータ）として保存する入出力Ｉ／Ｆ４５ｃと、放送コンテンツをＩＰパケットにより、ＩＰ網３を通じて上記小型電波塔５１に送信する再放送部４５ｂとを備えている。【００６４】  そして、このような再放送用サーバ４５によれば、放送局５から放送される放送コンテンツをＩＰパケットとして小型電波塔５１から放送され、自動車１０内の端末装置１により受信され、ブラウザソフト１４ａにおいてサービス対応サーバ４１から配信されるＷｅｂページと合成出力される。【００６５】  そして、本変更例でも、自動車１０内の端末装置１に備えられたハードディスク１６で記録を行っている場合において、ハードディスク１６のデータ占有量が一定以上となったときには、記録中の放送コンテンツをバックアップサーバ４３にバックアップすることができる。このとき、再放送用サーバ４５のオリジナルデータベース４４ａは、上述したバックアップサーバ４３と共有されている。【００６６】  そして、バックアップサーバ４３では、自動車１０からアップロードされたデータについて、オリジナルデータベース４４ａに保存された再放送前の放送コンテンツとの差分、すなわち、再放送されたコンテンツが自動車１０において受信される際に生じたノイズを抽出し、ユーザーデータベース４４ｂに保存する。【００６７】  このような本変更例によれば、放送コンテンツの受信が困難な移動体（自動車や鉄道）においても、ホットスポット的なＩＰ網により確実に放送コンテンツを受信することができるとともに、放送コンテンツをＩＰ網３上のバックアップサーバ４３にアップロードすることができる。このとき、バックアップサーバ４３側では、既存データとして再放送前に受信された放送コンテンツをオリジナルデータ（既存データ）として保持することができるため、差分データを確実に生成することができる。
【産業上の利用可能性】
【００６８】  このような本発明のバックアップシステムによれば、端末装置に蓄積されたデータをバックアップサーバにバックアップする際に、アップロードするデータを抽出するとともに、サーバ側において差分のみを保存するため、バックアップサーバ側の負担を軽減することができる。
【図１】
2005093579.tif 000002
【図２】
2005093579.tif 000003
【図３】
2005093579.tif 000004
【図４】
2005093579.tif 000005
【図５】
2005093579.tif 000006
【図６】
2005093579.tif 000007
【国際調査報告】
2005093579.tif 000008
2005093579.tif 000009
2005093579.tif 000010
2005093579.tif 000011